(57)【要約】    【課題】  滑らかで良質な動画表示が得られるようにした場合であっても小型化が容易な構造をもったプロジェクタを提供する。    【解決手段】  光源装置１１０と、平行化凸レンズ１５０と、液晶表示装置４００と、投写光学系６００と、光源装置１１０からの照明光束が集束する位置近傍に配置され、光軸に平行な回転軸を有するとともに、その回転によって、液晶表示装置４００に照射される照明光束が液晶表示装置４００の画面書込み周波数に同期して遮断されるよう間欠的に光の遮断を行う回転板２０とを備えたプロジェクタであって、回転板２０は、駆動力伝達装置７１０Ａを介して駆動モータ１０に連結されていることを特徴とするプロジェクタ。【選択図】  図２
2005208230.tif 000002
【特許請求の範囲】
【請求項１】
被照明領域側に照明光束を集束光束として射出する光源装置と、
この光源装置からの照明光束が集束する位置よりも前記光源装置から遠い側に配置され、前記光源装置からの照明光束を略平行な照明光束に変換する平行化凸レンズと、
この平行化凸レンズからの照明光束を画像情報に応じて変調する電気光学変調装置と、
この電気光学変調装置によって変調された照明光束を投写する投写光学系と、
前記光源装置からの照明光束が集束する位置近傍に配置され、光軸に平行な回転軸を有するとともに、その回転によって、前記電気光学変調装置に照射される照明光束が前記電気光学変調装置の画面書込み周波数に同期して遮断されるよう間欠的に光の遮断を行う光シャッタとを備えたプロジェクタであって、
前記光シャッタは、駆動モータに駆動力伝達装置を介して連結されていることを特徴とするプロジェクタ。
【請求項２】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を画像情報に応じて変調する電気光学変調装置と、
この電気光学変調装置によって変調された照明光束を投写する投写光学系と、
前記インテグレータロッドの光入射面近傍に配置され、光軸に平行な回転軸を有するとともに、その回転によって、前記電気光学変調装置に照射される照明光束が前記電気光学変調装置の画面書込み周波数に同期して遮断されるよう間欠的に光の遮断を行う光シャッタとを備えたプロジェクタであって、
前記光シャッタは、駆動力伝達装置を介して駆動モータに連結されていることを特徴とするプロジェクタ。
【請求項３】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を画像情報に応じて変調する電気光学変調装置と、
この電気光学変調装置によって変調された照明光束を投写する投写光学系と、
前記インテグレータロッドの光射出面近傍に配置され、光軸に平行な回転軸を有するとともに、その回転によって、前記電気光学変調装置上で光照射領域と光非照射領域とが前記電気光学変調装置の画面書込み周波数に同期して順次交互にスクロールされるように、渦巻き状に形成された光透過領域と光非透過領域とを有する回転ホイールとを備えたプロジェクタであって、
前記回転ホイールは、駆動力伝達装置を介して駆動モータに連結されていることを特徴とするプロジェクタ。
【請求項４】
被照明領域側に照明光束を集束光束として射出する光源装置と、
この光源装置からの照明光束が集束する位置よりも前記光源装置から遠い側に配置され、前記光源装置からの照明光束を略平行な照明光束に変換する平行化凸レンズと、
この平行化凸レンズからの照明光束を画像情報に応じて変調する電気光学変調装置と、
この電気光学変調装置によって変調された照明光束を投写する投写光学系と、
前記光源装置からの照明光束が集束する位置近傍に配置され、光軸に平行な回転軸を有するとともに、その回転によって、前記電気光学変調装置に照射される照明光束を時分割方式により色分離するカラーホイールとを備えたプロジェクタにおいて、
前記カラーホイールは、駆動力伝達装置を介して駆動モータに連結されていることを特徴とするプロジェクタ。
【請求項５】
請求項１〜４のいずれかに記載のプロジェクタにおいて、
前記駆動力伝達装置は歯車伝達装置からなることを特徴とするプロジェクタ。
【請求項６】
請求項１〜４のいずれかに記載のプロジェクタにおいて、
前記駆動力伝達装置はベルト伝達装置からなることを特徴とするプロジェクタ。
【請求項７】
請求項１〜４のいずれかに記載のプロジェクタにおいて、
前記光シャッタ、前記回転ホイール又は前記カラーホイールは、前記駆動モータに着脱自在に取り付けられていることを特徴とするプロジェクタ。
【請求項８】
請求項１〜４のいずれかに記載のプロジェクタにおいて、
前記光シャッタ、前記回転ホイール又は前記カラーホイールは、光路から離脱可能であることを特徴とするプロジェクタ。
【請求項９】
請求項８に記載のプロジェクタにおいて、
前記光シャッタ、前記回転ホイール又は前記カラーホイールは、前記駆動モータから取り外した状態で光路から離脱可能であることを特徴とするプロジェクタ。
【請求項１０】
請求項１〜９のいずれかに記載のプロジェクタにおいて、
前記駆動力伝達装置は、前記光シャッタ、前記回転ホイール又は前記カラーホイールの回転速度を予め定められた複数の回転速度の間で切り替え可能な回転速度切替装置を含むことを特徴とするプロジェクタ。
【発明の詳細な説明】
【技術分野】
【０００１】
本発明はプロジェクタに関する。
【背景技術】
【０００２】
図１０は、従来のプロジェクタを説明するために示す図である。図１０（ａ）は従来のプロジェクタの光学系を示す図であり、図１０（ｂ）及び図１０（ｃ）はこのような従来のプロジェクタの問題点を説明するために示す図である。
このプロジェクタ９００Ａにおいては、電気光学変調装置として用いる液晶表示装置４００Ｒ，４００Ｇ，４００Ｂが、図１０（ｂ）に示すような輝度特性を有するホールド型の表示装置であるため、図１０（ｃ）に示すような輝度特性を有するインパルス型の表示装置であるＣＲＴの場合とは異なり、いわゆる尾引き現象のために滑らかな動画表示が得られないという問題がある（この尾引き現象については、例えば、非特許文献１参照。）。
【０００３】
図１１は、従来の他のプロジェクタを説明するために示す図である。図１１（ａ）は従来の他のプロジェクタの光学系を示す図であり、図１１（ｂ）及び図１１（ｃ）はこのような従来の他のプロジェクタに用いられる光シャッタを示す図である。
このプロジェクタ９００Ｂにおいては、図１１（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報  ＥＩＤ９９−１０  第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、液晶表示装置の直前に光シャッタが配置されているため、大きい光シャッタが必要であり、プロジェクタの小型化が容易ではないという問題があった。
【０００５】
本発明は、このような問題を解決するためになされたもので、滑らかで良質な動画表示が得られるようにした場合であっても小型化が容易な構造をもったプロジェクタを提供することを目的とする。
【課題を解決するための手段】
【０００６】
（１）本発明者は、上記した目的を達成すべく鋭意努力を重ねた結果、光源装置として被照明領域側に照明光束を集束光束として射出する光源装置を用い、この光源装置からの照明光束が集束する位置近傍に光シャッタを配置することにより、上記した目的が達成できることを見出し、本発明を完成させるに至った。
【０００７】
すなわち、本発明のプロジェクタは、被照明領域側に照明光束を集束光束として射出する光源装置と、この光源装置からの照明光束が集束する位置よりも前記光源装置から遠い側に配置され、前記光源装置からの照明光束を略平行な照明光束に変換する平行化凸レンズと、この平行化凸レンズからの照明光束を画像情報に応じて変調する電気光学変調装置と、この電気光学変調装置によって変調された照明光束を投写する投写光学系と、前記光源装置からの照明光束が集束する位置近傍に配置され、光軸に平行な回転軸を有するとともに、その回転によって、前記電気光学変調装置に照射される照明光束が前記電気光学変調装置の画面書込み周波数に同期して遮断されるよう間欠的に光の遮断を行う光シャッタとを備えたプロジェクタであって、前記光シャッタは、駆動力伝達装置を介して駆動モータに連結されていることを特徴とする。
【０００８】
このため、本発明のプロジェクタによれば、電気光学変調装置に照射される照明光束が電気光学変調装置の画面書込み周波数に同期して遮断されるよう間欠的に光の遮断を行う光シャッタを備えているため、電気光学変調装置の画像形成領域においては光照射が所定のタイミングで間欠的に行われるようになる。その結果、尾引き現象が緩和され、滑らかで良質な動画表示が得られるプロジェクタとなる。
また、本発明のプロジェクタによれば、このような効果を奏する光シャッタを光源装置からの照明光束が集束する位置近傍に配置することとしたため、光シャッタの大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の目的を達成することができる。
【０００９】
上記したように、本発明のプロジェクタにおいては、光シャッタを光源装置からの照明光束が集束する位置（ビームスポット位置）近傍に配置することとして、光シャッタの大きさを比較的小さくするようにしている。しかしながら、照明光束はビームスポット位置から離れるに従ってビーム径が急速に大きくなるため、駆動モータと照明光束とが干渉しないようにするために光シャッタをむやみに小さくすることはできない。そうかといって、光シャッタを大きくして駆動モータと照明光束とが干渉しないようにするのでは、プロジェクタの小型化の要請に反することとなる。
【００１０】
これに対して、本発明のプロジェクタによれば、駆動力伝達装置を介して光シャッタを駆動モータに連結することとしたため、光シャッタの回転軸とは異なる軸上に駆動モータの回転軸を配設することができるようになる。これにより、光シャッタをそれ程大きくしなくても駆動モータと照明光束とが干渉しないような構造をとることができるようになるため、光シャッタを駆動モータに直接連結することとした場合と比較して、光シャッタを小さくすることができるようになる。また、このことは、光シャッタを回転させるための駆動モータを小さくすることができるようになることをも意味する。
このため、本発明のプロジェクタは、滑らかで良質な動画表示が得られるようにした場合であってもさらに小型化が容易な構造をもったプロジェクタとなる。
【００１１】
（２）本発明者は上記した目的を達成すべく鋭意努力を重ねた結果、光均一光学系としてインテグレータロッドを用い、このインテグレータロッドの光入射面側に光シャッタを配置することによっても、上記した目的が達成できることを見出し、本発明を完成させるに至った。
【００１２】
すなわち、本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を画像情報に応じて変調する電気光学変調装置と、この電気光学変調装置によって変調された照明光束を投写する投写光学系と、前記インテグレータロッドの光入射面近傍に配置され、光軸に平行な回転軸を有するとともに、その回転によって、前記電気光学変調装置に照射される照明光束が前記電気光学変調装置の画面書込み周波数に同期して遮断されるよう間欠的に光の遮断を行う光シャッタとを備えたプロジェクタであって、前記光シャッタは、駆動力伝達装置を介して駆動モータに連結されていることを特徴とする。
【００１３】
このため、本発明のプロジェクタによれば、上記（１）の場合と同様に、電気光学変調装置に照射される照明光束が電気光学変調装置の画面書込み周波数に同期して遮断されるよう間欠的に光の遮断を行う光シャッタを備えているため、電気光学変調装置の画像形成領域においては光照射が所定のタイミングで間欠的に行われるようになる。その結果、尾引き現象が緩和され、滑らかで良質な動画表示が得られるプロジェクタとなる。
また、本発明のプロジェクタによれば、このような効果を奏する光シャッタを比較的小さな面積となるインテグレータロッドの光入射面近傍に配置することとしたため、光シャッタの大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の目的を達成することができる。
【００１４】
上記したように、本発明のプロジェクタにおいては、光シャッタをインテグレータロッドの光入射面近傍に配置することとして、光シャッタの大きさを比較的小さくするようにしている。しかしながら、光シャッタを回転させる駆動モータは、通常インテグレータロッド側に配置されることになるため、駆動モータとインテグレータロッドとが衝突しないようにするために光シャッタをむやみに小さくすることはできない。そうかといって、光シャッタを大きくして駆動モータとインテグレータロッドとが衝突しないようにするのでは、プロジェクタの小型化の要請に反することとなる。
【００１５】
これに対して、本発明のプロジェクタによれば、上記（１）の場合と同様に、駆動力伝達装置を介して光シャッタを駆動モータに連結することとしたため、光シャッタの回転軸とは異なる軸上に駆動モータの回転軸を配設することができるようになる。これにより、光シャッタをそれ程大きくしなくても駆動モータとインテグレータロッドとが衝突しないような構造をとることができるようになるため、光シャッタを駆動モータに直接連結することとした場合と比較して、光シャッタを小さくすることができるようになる。また、このことは、光シャッタを回転させるための駆動モータを小さくすることができるようになることをも意味する。
このため、本発明のプロジェクタは、滑らかで良質な動画表示が得られるようにした場合であってもさらに小型化が容易な構造をもったプロジェクタとなる。
【００１６】
（３）本発明者は上記した目的を達成すべく鋭意努力を重ねた結果、光均一光学系としてインテグレータロッドを用い、このインテグレータロッドの光射出面側に回転ホイールを配置することによっても、上記した目的が達成できることを見出し、本発明を完成させるに至った。
【００１７】
すなわち、本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を画像情報に応じて変調する電気光学変調装置と、この電気光学変調装置によって変調された照明光束を投写する投写光学系と、前記インテグレータロッドの光射出面近傍に配置され、光軸に平行な回転軸を有するとともに、その回転によって、前記電気光学変調装置上で光照射領域と光非照射領域とが前記電気光学変調装置の画面書込み周波数に同期して順次交互にスクロールされるように、渦巻き状に形成された光透過領域と光非透過領域とを有する回転ホイールとを備えたプロジェクタであって、前記回転ホイールは、駆動力伝達装置を介して駆動モータに連結されていることを特徴とする。
【００１８】
このため、本発明のプロジェクタによれば、電気光学変調装置の画面書込み周波数に同期して、光照射領域と光非照射領域とが順次交互にスクロールされるように渦巻き状に形成された光透過領域及び光非透過領域を有する回転ホイールを備えているため、電気光学変調装置の画像形成領域においては光照射領域と光非照射領域とが順位交互にスクロールされるようになる。その結果、尾引き現象が緩和され、滑らかで良質な動画表示が得られるプロジェクタとなる。
また、本発明のプロジェクタによれば、このような効果を奏する回転ホイールを比較的小さな面積となるインテグレータロッドの光射出面近傍に配置することとしたため、回転ホイールの大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の目的が達成される。
【００１９】
上記したように、本発明のプロジェクタにおいては、回転ホイールをインテグレータロッドの光射出面近傍に配置することとして、回転ホイールの大きさを比較的小さくするようにしている。しかしながら、回転ホイールを回転させる駆動モータは、通常インテグレータロッド側に配置されることになるため、駆動モータとインテグレータロッドとが衝突しないようにするために回転ホイールをむやみに小さくすることはできない。そうかといって、回転ホイールを大きくして駆動モータとインテグレータロッドとが衝突しないようにするのでは、プロジェクタの小型化の要請に反することとなる。
【００２０】
これに対して、本発明のプロジェクタによれば、駆動力伝達装置を介して回転ホイールを駆動モータに連結することとしたため、上記（１）又は（２）の光シャッタの場合と同様に、回転ホイールの回転軸とは異なる軸上に駆動モータの回転軸を配設することができるようになる。これにより、回転ホイールをそれ程大きくしなくても駆動モータとインテグレータロッドとが衝突しないような構造をとることができるようになるため、回転ホイールを駆動モータに直接連結することとした場合と比較して、回転ホイールを小さくすることができるようになる。また、このことは、回転ホイールを回転させるための駆動モータを小さくすることができるようになることをも意味する。
このため、本発明のプロジェクタは、滑らかで良質な動画表示が得られるようにした場合であってもさらに小型化が容易な構造をもったプロジェクタとなる。
【００２１】
（４）本発明者は、駆動力伝達装置を介して光シャッタや回転ホイールを駆動モータに連結することにより上記したように優れた効果が得られることを見出したが、このような優れた効果は、尾引き現象を緩和するための光シャッタや回転ホイールの場合だけに得られるのではなく、単板式プロジェクタをフルカラー化するためのカラーフィルタの場合にも同様に得られることを見出し、本発明を完成させるに至った
【００２２】
すなわち、本発明のプロジェクタは、被照明領域側に照明光束を集束光束として射出する光源装置と、この光源装置からの照明光束が集束する位置よりも前記光源装置から遠い側に配置され、前記光源装置からの照明光束を略平行な照明光束に変換する平行化凸レンズと、この平行化凸レンズからの照明光束を画像情報に応じて変調する電気光学変調装置と、この電気光学変調装置によって変調された照明光束を投写する投写光学系と、前記光源装置からの照明光束が集束する位置近傍に配置され、光軸に平行な回転軸を有するとともに、その回転によって、前記電気光学変調装置に照射される照明光束を時分割方式により色分離するカラーホイールとを備えたプロジェクタにおいて、前記カラーホイールは、駆動力伝達装置を介して駆動モータに連結されていることを特徴とする。
【００２３】
このため、本発明のプロジェクタによれば、駆動力伝達装置を介してカラーホイールを駆動モータに連結することとしたため、上記（１）〜（３）の場合の光シャッタや回転ホイールの場合と同様に、カラーホイールの回転軸とは異なる軸上に駆動モータの回転軸を配設することができるようになる。これにより、カラーホイールをそれ程大きくしなくても駆動モータと照明光束とが干渉しないような構造をとることができるようになるため、カラーホイールを駆動モータに直接連結することとした場合と比較して、カラーホイールを小さくすることができるようになる。また、このことは、カラーホイールを回転させるための駆動モータを小さくすることができるようになることをも意味する。
【００２４】
（５）上記（１）〜（４）のいずれかに記載のプロジェクタにおいては、前記駆動力伝達装置は歯車伝達装置からなることが好ましい。
このように構成することにより、駆動力を伝達するための部材としてベルトを用いた場合と比較して、部品点数を少なくすることができるとともに、光シャッタ、回転ホイール又はカラーホイールを電気光学変調装置の画面書込み周波数に同期して回転させる際の同期ずれ（位相ずれ）を小さなものにすることができる。
【００２５】
（６）上記（１）〜（４）のいずれかに記載のプロジェクタにおいては、前記駆動力伝達装置はベルト伝達装置からなることが好ましい。
このように構成することにより、潤滑のための注油が不要であるので、他の光学部品に対する不慮の油飛びを抑制することができる。また、駆動力を伝達するための部材として歯車を用いた場合と比較して、低騒音のプロジェクタを実現することが可能である。
【００２６】
（７）上記（１）〜（４）のいずれかに記載のプロジェクタにおいては、前記光シャッタ、前記回転ホイール又は前記カラーホイールは、前記駆動モータに着脱自在に取り付けられていることが好ましい。
このように構成することにより、光シャッタ、回転ホイール若しくはカラーホイールが劣化した場合、又は駆動モータが劣化した場合には、いずれか一方の要素のみを交換すればよくなるため、交換部品のコストの低廉化を図ることができる。
【００２７】
（８）上記（１）〜（４）のいずれかに記載のプロジェクタにおいては、前記光シャッタ、前記回転ホイール又は前記カラーホイールは、光路から離脱可能であることが好ましい。
このように構成することにより、光シャッタ又は回転ホイールを用いた場合においては、静止画を表示するときや動画表示の滑らかさよりも画面の明るさが優先されるようなときには、光シャッタ又は回転ホイールを光路から離脱させることにより、電気光学変調装置には連続して光が照射されるようになり、明るい表示画面を得ることができる。
また、カラーホイールを用いた場合においては、グラフや文字等を白黒表示するようなときには、カラーホイールを光路から離脱させることにより、カラーホイールを通過する際の光の損失をなくすことが可能となるので、フルカラー表示に比べて格段に明るい白黒表示画面を得ることができる。
すなわち、本発明のプロジェクタによれば、使用目的に応じて最適な性能を発揮することができる。
【００２８】
（９）上記（８）に記載のプロジェクタにおいては、前記光シャッタ、前記回転ホイール又は前記カラーホイールは、前記駆動モータから取り外した状態で光路から離脱可能であることが好ましい。
このように構成することにより、比較的重量の重い駆動モータを初期配置位置から移動させることなく、光シャッタ、回転ホイール又はカラーホイールのみを光路から離脱させることにより、光シャッタ、回転ホイール又はカラーホイールを光路から離脱させる装置を簡略化することができる。
【００２９】
（１０）上記（１）〜（９）のいずれかに記載のプロジェクタにおいては、前記駆動力伝達装置は、前記光シャッタ、前記回転ホイール又は前記カラーホイールの回転速度を予め定められた複数の回転速度の間で切り替え可能な回転速度切替装置を含むことが好ましい。
このように構成することにより、駆動モータの回転速度を変化させることなく、光シャッタ、回転ホイール又はカラーホイールの回転速度を予め定められた複数の回転速度の間で切り替えることができるようになるため、使用目的に応じてプロジェクタの性能を容易に最適化することができる。
【発明を実施するための最良の形態】
【００３０】
以下、本発明のプロジェクタについて、図に示す実施の形態に基づいて説明する。
【００３１】
〔実施形態１〕
図１は、本発明の実施形態１に係るプロジェクタを説明するために示す図である。図１（ａ）は平面図であり、図１（ｂ）は側面図であり、図１（ｃ）は図１（ａ）及び（ｂ）の光シャッタを説明するために示す図であり、図１（ｄ）は被照明領域である電気光学変調装置としての液晶表示装置上における照明状態を示す図である。なお、以下の説明においては、互いに直交する３つの方向をそれぞれｚ方向（図１（ａ）における光軸方向）、ｘ方向（図１（ａ）における紙面に平行かつｚ軸に直交する方向）及びｙ方向（図１（ａ）における紙面に垂直かつｚ軸に直交する方向）とする。
【００３２】
実施形態１に係るプロジェクタ１０００Ａは、図１（ａ）及び図１（ｂ）に示すように、照明装置１００Ａと、照明装置１００Ａからの照明光束を赤、緑及び青の３つの色光に分離する色分離光学系２００と、色分離光学系２００で分離された３つの色光のそれぞれを画像情報に応じて変調する３つの液晶表示装置４００Ｒ，４００Ｇ，４００Ｂと、これら３つの液晶表示装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えている。
【００３３】
照明装置１００Ａは、光源装置１１０と、この光源装置１１０からの照明光束を略平行な照明光束に変換する平行化凸レンズ１５０と、この平行化凸レンズ１５０からの照明光束をより均一な強度分布を有する光に変換するレンズインテグレータとしての第１レンズアレイ１６０及び第２レンズアレイ１７０と、第２レンズアレイ１７０からの照明光束を所定方向の偏光軸をもつ照明光束に変換する偏光変換素子１８０と、偏光変換素子１８０からの各部分光束を被照明領域で重畳させるための重畳レンズ１９０とを有している。
【００３４】
光源装置１１０は、楕円面リフレクタ１１４と、高圧水銀ランプなどからなり、楕円面リフレクタ１１４の第１焦点近傍に発光中心を有する発光管１１２とを有している。発光管１１２には発光管１１２から被照明領域側に射出される光を楕円面リフレクタ１１４に向けて反射する反射手段としての補助ミラー１１６が設けられている。
【００３５】
実施形態１に係るプロジェクタ１０００Ａにおいては、図１（ａ）及び図１（ｂ）に示すように、光源装置１１０からの照明光束が集束する位置近傍には、光シャッタとしての回転板２０、この回転板２０を回転させるための駆動モータ１０及びこの駆動モータ１０からの駆動力を回転板２０に伝達する駆動力伝達装置７１０Ａを備えた光シャッタ装置７００Ａが配置されている。この回転板２０は、図１（ｃ）に示すように、光軸に平行な回転軸２０ａｘを有し、回転方向に沿って光透過領域２２と光非透過領域２４とが交互に配置されている。そして、液晶表示装置４００Ｒ，４００Ｇ，４００Ｂに照射される照明光束が液晶表示装置４００Ｒ，４００Ｇ，４００Ｂの画面書込み周波数に同期して遮断されるよう間欠的に光の遮断を行う機能を有している。
【００３６】
実施形態１に係るプロジェクタ１０００Ａにおいては、画面書込みは、液晶表示装置４００Ｒ，４００Ｇ，４００Ｂに同一画面を２度繰り返し書き込む倍速駆動を行っている。そして、１回目の書込み時は光を遮断し、２回目の書込み時に光を通過させることで、液晶表示装置４００Ｒ，４００Ｇ，４００Ｂが十分に応答する前の画面に基づいて光変調を行うことがなくなり、液晶表示装置４００Ｒ，４００Ｇ，４００Ｂの応答速度に左右されない高画質の動画表示を行うことが可能となっている。
【００３７】
実施形態１に係るプロジェクタ１０００Ａにおいては、上記のような回転板２０を備えている。このため、これを所定の速度で回転させることにより、液晶表示装置４００Ｒ，４００Ｇ，４００Ｂの画像形成領域において光照射を所定のタイミングで間欠的に行うことが容易にできるようになる。その結果、尾引き現象が緩和され、滑らかで良質な動画表示が得られるようになる。
【００３８】
また、実施形態１に係るプロジェクタ１０００Ａにおいては、上記のような効果を奏する回転板２０を光源装置１１０からの照明光束が集束する位置近傍に配置することとしているため、回転板２０の大きさを比較的小さくすることができ、プロジェクタの大型化を極力抑制することができる。このため、実施形態１に係るプロジェクタは、滑らかで良質な動画表示が得られるようにした場合であっても小型化が容易な構造をもったプロジェクタとなる。
なお、光源装置１１０と回転板２０との間には赤外線ミラー１１５が配置されており、回転板２０への熱的負荷が低減されている。
【００３９】
以下、実施形態１に係る光シャッタ装置７００Ａの詳細について、図２及び図３を用いて説明する。
図２は、実施形態１に係るプロジェクタにおける光シャッタ装置を説明するために示す図である。図２（ａ）は平面図であり、図２（ｂ）は側面図であり、図２（ｃ）は光源装置からの集束光束と光シャッタ装置との位置関係を説明するために示す図である。なお、図２（ｃ）中、照明光束Ｂは駆動モータ１０の後端部（図２（ｂ）では最右方）のｚ位置における断面を示している。
図３は、比較例に係るプロジェクタにおける光シャッタ装置を説明するために示す図である。図３（ａ）は平面図であり、図３（ｂ）は側面図であり、図３（ｃ）は光源装置からの集束光束と光シャッタ装置との位置関係を説明するために示す図である。なお、図２及び図３においては、実施形態１に係るプロジェクタ及び比較例に係るプロジェクタの要部のみを示すことで、説明を簡略化している。
【００４０】
実施形態１に係るプロジェクタ１０００Ａおいては、図２（ａ）〜図２（ｃ）に示すように、光シャッタ装置７００Ａは、回転板２０と、駆動モータ１０と、駆動力伝達装置７１０Ａとから大略構成されている。
駆動モータ１０は、光軸１１０ａｘと平行なモータ軸を有し、回転板２０の斜め下方に配置されている。そして、回転板２０に回転力を付与するように構成されている。
【００４１】
駆動力伝達装置７１０Ａは、ピニオン７１２及びギア部７１４を有する歯車伝達装置からなり、駆動モータ１０と回転板２０との間に介装されている。ピニオン７１２は、駆動モータ１０のモータ軸に固着されている。ギア部７１４は、回転板２０の円周方向に沿って延設され、ピニオン７１２に噛合するように構成されている。
【００４２】
被照明領域側に照明光束を集束光束として射出する光源装置１１０を備えたプロジェクタにおいては、図２（ａ）及び図２（ｂ）に示すように、照明光束Ｂ（図２（ａ）〜（ｃ）の一部においては灰色で示している。）はビームスポットＢＳ位置から離れるに従ってビーム径が急速に大きくなるため、駆動モータ１０と照明光束Ｂとが干渉しないようにするために回転板２０をむやみに小さくすることはできないと考えられる。なぜならば、回転板２０を小さくすると、駆動モータ１０の回転軸１０ａｘと照明光束の光軸１１０ａｘとの間隔が小さくなり、駆動モータ１０と照明光束Ｂとが干渉し易くなるためである。そうかといって、図３（ａ）〜（ｃ）に示す比較例のように、回転板２１を大きくして駆動モータ１０と照明光束Ｂとが干渉しないようにするのでは、プロジェクタの小型化の要請に反することとなる。
【００４３】
しかしながら、実施形態１に係るプロジェクタ１０００Ａによれば、駆動力伝達装置７１０Ａを介して回転板２０を駆動モータ１０に連結することとしたため、図２（ｃ）に示すように、回転板２０の回転軸２０ａｘとは異なる軸上に駆動モータ１０の回転軸１０ａｘを配設することができるようになる。これにより、回転板２０をそれ程大きくしなくても駆動モータ１０と照明光束Ｂとが干渉しないような構造をとることができるようになるため、図３（ａ）〜図３（ｃ）に示す比較例のように回転板２１を駆動モータ１０に直接連結することとした場合と比較して、回転板２０を小さくすることができるようになる。また、このことは、回転板２０を回転させるための駆動モータ１０を小さくすることができるようになることをも意味する。
このため、実施形態１に係るプロジェクタ１０００Ａは、滑らかで良質な動画表示が得られるようにした場合であってもさらに小型化が容易な構造をもったプロジェクタとなる。
【００４４】
実施形態１に係るプロジェクタ１０００Ａにおいては、駆動力伝達装置７１０Ａとして歯車伝達装置を用いている。このため、駆動力を伝達するための部材としてベルトを用いた場合と比較して、部品点数を少なくすることができるとともに、回転板２０を液晶表示装置４００Ｒ，４００Ｇ，４００Ｂの画面書込み周波数に同期して回転させる際の同期ずれ（位相ずれ）を小さなものにすることができるという効果も得られる。
【００４５】
実施形態１に係るプロジェクタ１０００Ａにおいては、回転板２０を光シャッタ装置７００Ａとともに光路から離脱可能な構成としている。
このため、静止画を表示するときや動画表示の滑らかさよりも画面の明るさが優先されるようなときには、回転板２０（及び光シャッタ装置７００Ａ）を光路から離脱させることにより、液晶表示装置４００Ｒ，４００Ｇ，４００Ｂには連続して光が照射されるようになり、明るい表示画面を得ることができるようになる。
【００４６】
実施形態１に係るプロジェクタ１０００Ａにおいては、上記したように、光源装置１１０は、楕円面リフレクタ１１４と、楕円面リフレクタ１１４の第１焦点近傍に発光中心を有する発光管１１２とを有している。
このため、放物面リフレクタを用いた光源装置と比較して、よりコンパクトな光学装置を実現することができる。
【００４７】
実施形態１に係るプロジェクタ１０００Ａにおいては、上記したように、発光管１１２には、発光管１１２から被照明領域側に射出される光を楕円面リフレクタ１１４に向けて反射する反射手段としての補助ミラー１１６が設けられている。
このため、発光管１１２から被照明領域側に放射される光が楕円面リフレクタ１１４に向けて反射されるため、発光管１１２の被照明領域側端部を覆うような大きさに楕円面リフレクタ１１４の大きさを設定することを必要とせず、楕円面リフレクタ１１４の小型化を図ることができ、結果としてプロジェクタの小型化を図ることができる。
また、楕円面リフレクタ１１４の小型化を図ることができることにより、楕円面リフレクタ１１４から楕円面リフレクタ１１４の第２焦点に向けて集束するビームの集束角を小さくすることができ、後段の各種光学要素の大きさをさらに小さくすることができ、プロジェクタのさらなる小型化を図ることができる。
さらにまた、ビームの集束角を小さくすることができることは、回転板２０と照明光束Ｂとの干渉が起こりにくくなることにより、回転板２０及び駆動モータ１０の大きさを小さくすることができることをも意味する。
【００４８】
実施形態１に係るプロジェクタ１０００Ａにおいては、回転板２０における光非透過領域２４は、光反射領域としてある。このため、この光反射領域（光非透過領域２４）で反射された光は、楕円面リフレクタ１１４を介して発光管１１２に向かう。この光はさらに発光管１１２を通過して補助ミラー１１６によって反射され、再び楕円面リフレクタ１１４に向かい、光の再利用が図られる。また、この光が発光管１１２の発光部中心近傍に存在するプラズマに吸収される場合には、プラズマの温度が上昇し、その結果、発光強度が高まる。
このため、実施形態１に係るプロジェクタ１０００Ａによれば、滑らかで良質な動画表示が得られるようにした場合であっても光利用効率が大幅に低下しないプロジェクタとなる。
なお、この場合、回転板２０の光透過領域２２には、誘電体多層膜等からなる減反射膜を形成することで、光利用効率の低下を最小限のものにすることができる。
【００４９】
〔実施形態２〕
図４は、実施形態２に係るプロジェクタにおける光シャッタ装置を説明するために示す図である。図４（ａ）は平面図であり、図４（ｂ）は側面図であり、図４（ｃ）は要部拡大図である。
実施形態２に係るプロジェクタ１０００Ｂ（図示せず。）における光シャッタ装置７００Ｂが実施形態１に係るプロジェクタ１０００Ａにおける光シャッタ装置７００Ａと異なるのは、駆動力伝達装置の構成である。
すなわち、実施形態２に係るプロジェクタ１０００Ｂにおける光シャッタ装置７００Ｂは、駆動力伝達装置７１０Ｂとしてベルト伝達装置を採用している。
【００５０】
すなわち、駆動力伝達装置７１０Ｂは、図４（ａ）〜図（ｃ）に示すように、伝達ベルト７１６及びプーリ７１８，７２０を有している。駆動モータ１０のモータ軸には小径のプーリ７１８が固着され、回転板２０の回転軸には大径のプーリ７２０が固着されている。プーリ７１８及びプーリ７２０に伝達ベルト７１６が掛け渡されている。
これにより、潤滑のための注油が不要であるので、他の光学部品に対する不慮の油飛びを抑制することができる。また、駆動力を伝達するための部材として歯車を用いた場合と比較して、低騒音のプロジェクタを実現することができるようになる。
【００５１】
なお、実施形態２に係るプロジェクタ１０００Ｂは、光シャッタ装置の駆動力伝達装置として歯車伝達装置に代えてベルト伝達装置を用いた点を除いては、実施形態１に係るプロジェクタ１０００Ａと同様の構成であるため、実施形態１に係るプロジェクタ１０００Ａが有する効果のうち該当する効果を同様に有する。
【００５２】
〔実施形態３〕
図５は、実施形態３に係るプロジェクタにおける光シャッタ装置を説明するために示す図である。図５（ａ）は平面図であり、図５（ｂ）は側面図であり、図５（ｃ）は要部拡大図である。
実施形態３に係るプロジェクタ１０００Ｃ（図示せず。）における光シャッタ装置７００Ｃが実施形態１に係るプロジェクタ１０００Ａにおける光シャッタ装置７００Ａと異なるのは、回転板２０を光路から離脱させるときの装置である。
【００５３】
すなわち、実施形態３に係るプロジェクタ１０００Ｃにおける光シャッタ装置７００Ｃにおいては、図５（ａ）〜図５（ｃ）に示すように、回転板２０を駆動モータ１０に着脱自在に取り付た構成としている。このため、回転板２０が劣化した場合、又は駆動モータ１０が劣化した場合には、いずれか一方の要素のみを交換すればよくなるため、交換部品のコストの低廉化を図ることができる。
【００５４】
また、実施形態３に係るプロジェクタ１０００Ｃにおける光シャッタ装置７００Ｃにおいては、駆動モータ１０から取り外した状態で回転板２０を光路から離脱可能としている。このため、比較的重量の重い駆動モータ１０を初期配置位置から移動させることなく、回転板２０を光路から離脱させることとすることにより、回転板２０を光路から離脱させる装置を簡略化することができる。
【００５５】
なお、実施形態３に係るプロジェクタ１０００Ｃは、回転板２０を光路から離脱させるときの装置を除いては、実施形態１に係るプロジェクタ１０００Ａと同様の構成であるため、実施形態１に係るプロジェクタ１０００Ａが有する効果のうち該当する効果を同様に有する。
【００５６】
〔実施形態４〕
図６は、実施形態４に係るプロジェクタにおける光シャッタ装置を説明するために示す図である。図６（ａ）及び（ｃ）は回転板が低速度で回転する場合について説明するために示す側面図及び要部拡大図であり、図６（ｂ）及び（ｄ）は回転板が高速度で回転する場合について説明するために示す側面図及び要部拡大図である。
実施形態４に係るプロジェクタ１０００Ｄ（図示せず。）における光シャッタ装置７００Ｄは、駆動力伝達装置７１０Ｄにおいて、回転板２０の回転速度を予め定められた複数（図６の場合は２つ）の回転速度の間で切り替え可能な回転速度切替装置を備えている点にその特徴がある。
【００５７】
駆動力伝達装置７１０Ｄは、図６（ａ）〜図６（ｄ）に示すように、各歯数が互いに異なる２つのピニオン７２２，７２４及びギア部７２６を有する歯車伝達装置からなり、駆動モータ１０と回転板２０との間に介装されている。また、駆動力伝達装置７１０Ｄには、回転板２０の回転速度を切り替え可能にするための回転速度切替装置をさらに備えている。
これにより、例えば、回転板２０の回転速度を遅くしたいような場合には、図６（ａ）及び図６（ｃ）に示すように、ピニオン７２２とギア部７２６とを噛合させることにより回転板２０の回転速度を遅くすることが可能である。また、回転板２０の回転速度を速くしたいような場合には、図６（ｂ）及び図（ｄ）に示すように、ピニオン７２４とギア部７２６とを噛合させることにより回転板２０の回転速度を速くすることが可能である。
すなわち、駆動モータ１０の駆動力を変化させることなく、回転板２０の回転速度を予め定められた複数の回転速度の間で切り替えることができるようになるため、使用目的に応じてプロジェクタの性能を容易に最適化することができるようになる。
また、実施形態４に係るプロジェクタ１０００Ｄは、回転速度切替装置をさらに備えた点を除いては、実施形態１に係るプロジェクタ１０００Ａと同様の構成であるため、実施形態１に係るプロジェクタ１０００Ａが有する効果のうち該当する効果を同様に有する
【００５８】
なお、回転板２０の回転速度を速くした場合には、駆動モータ１０が下方に移動するため、図６（ｄ）に示すように、照明光束Ｂのビーム径は、回転板２０の回転速度を遅くした場合における照明光束Ｂのビーム径（図６（ｃ）参照。）と比較して小さくなっている。
【００５９】
〔実施形態５〕
図７は、実施形態５に係るプロジェクタを説明するために示す図である。図７（ａ）は平面図であり、図７（ｂ）は側面図であり、図７（ｃ）は図７（ａ）及び図７（ｂ）の回転板を説明するために示す図であり、図７（ｄ）は被照明領域である液晶表示装置上における照明状態を示す図である。図７において、図１と同一の部材については同一の符号を付し、詳細な説明は省略する。
【００６０】
実施形態５に係るプロジェクタ１０００Ｅが実施形態１に係るプロジェクタ１０００Ａと異なるのは、インテグレータ光学系の種類及び液晶表示装置の数である。
すなわち、実施形態５に係るプロジェクタ１０００Ｅにおいては、インテグレータ光学系として、光源装置１１０からの照明光束が集束する位置近傍に光入射面を有し、この光源装置１１０からの照明光束をより均一な強度分布を有する照明光束に変換するインテグレータロッド１２０を用いている。
また、実施形態５に係るプロジェクタ１０００Ｅは、図７（ａ）及び図７（ｂ）に示すように、１枚の液晶表示装置４００からなる単板式のプロジェクタである。
【００６１】
このように、実施形態５に係るプロジェクタ１０００Ｅは、インテグレータ光学系の種類及び液晶表示装置の数で実施形態１に係るプロジェクタ１０００Ａとは異なるが、図７（ａ）〜（ｃ）に示すように、回転板２０を所定の速度で回転させることにより、液晶表示装置４００の画像形成領域において光照射を所定のタイミングで間欠的に行うことができる。その結果、実施形態１に係るプロジェクタ１０００Ａの場合と同様に、尾引き現象が緩和され、滑らかで良質な動画表示が得られる。
【００６２】
また、実施形態５に係るプロジェクタ１０００Ｅにおいては、上記のような効果を奏する回転板２０を比較的小さな面積となるインテグレータロッド１２０の光射出面近傍に配置することとしているため、回転板の大きさを比較的小さくすることができ、プロジェクタの大型化を極力抑制することができる構造となっている。
このため、実施形態５に係るプロジェクタ１０００Ｅにおいても、実施形態１に係るプロジェクタ１０００Ａの場合と同様に、滑らかで良質な動画表示が得られるようにした場合であっても小型化が容易な構造をもったプロジェクタとなる。
【００６３】
また、実施形態５に係るプロジェクタ１０００Ｅにおいては、実施形態１に係るプロジェクタ１０００Ａと同様に、駆動力伝達装置７１０Ａを介して回転板２０を駆動モータ１０に連結することとしている。このため、回転板２０の回転軸とは異なる軸上に駆動モータ１０の回転軸を配設することができるようになる。これにより、回転板２０をそれ程大きくしなくても駆動モータ１０と照明光束Ｂ（図示せず。）とが干渉しないような構造をとることができるようになるため、回転板２０を駆動モータ１０に直接連結することとした場合と比較して、回転板２０を小さくすることができるようになる。また、このことは、回転板２０を回転させるための駆動モータ１０を小さくすることができるようになることをも意味する。
このため、実施形態５に係るプロジェクタ１０００Ｅは、滑らかで良質な動画表示が得られるようにした場合であってもさらに小型化が容易な構造をもったプロジェクタとなる。
【００６４】
〔実施形態６〕
図８は、実施形態６に係るプロジェクタを説明するために示す図である。図８（ａ）は平面図であり、図８（ｂ）は側面図であり、図８（ｃ）は図８（ａ）及び図８（ｂ）の回転ホイールを説明するために示す図であり、図８（ｄ）は被照明領域である液晶表示装置上における照明状態を示す図である。図８において、図１と同一の部材については同一の符号を付し、詳細な説明は省略する。
【００６５】
実施形態６に係るプロジェクタ１０００Ｆが実施形態５に係るプロジェクタ１０００Ｅと異なるのは、滑らかで良質な動画表示を実現するための要素として、光シャッタ（回転板２０）に代えて図８（ｃ）に示すような回転ホイール３０を用いた点である。
【００６６】
このように、実施形態６に係るプロジェクタ１０００Ｆは、光シャッタ（回転板２０）に代えて回転ホイール３０を用いた点で実施形態５に係るプロジェクタ１０００Ｅとは異なるが、図８（ａ）〜図８（ｃ）に示すように、回転ホイール３０は液晶表示装置４００の画面書込み周波数に同期して、光照射領域と光非照射領域とが順次交互にスクロールされるように渦巻き状に形成された光透過領域３２及び光非透過領域３４を有するものであるため、液晶表示装置４００の画像形成領域においては光照射領域と光非照射領域とが順次交互にスクロールされるようになる。その結果、実施形態６に係るプロジェクタ１０００Ｆの場合においても、実施形態１に係るプロジェクタ１０００Ａの場合と同様に、尾引き現象が緩和され、滑らかで良質な動画表示が得られるようになる。
【００６７】
また、実施形態６に係るプロジェクタ１０００Ｆにおいては、上記のような効果を奏する回転ホイール３０を比較的小さな面積となるインテグレータロッド１２０の光射出面近傍に配置することとしているため、回転ホイール３０の大きさを比較的小さくすることができ、プロジェクタの大型化を極力抑制することができる構造となっている。
このため、実施形態６に係るプロジェクタ１０００Ｆにおいても、実施形態５に係るプロジェクタ１０００Ｅの場合と同様に、滑らかで良質な動画表示が得られるようにした場合であっても小型化が容易な構造をもったプロジェクタとなる。
【００６８】
また、実施形態６に係るプロジェクタ１０００Ｆにおいては、駆動力伝達装置７１０Ｆを介して回転ホイール３０を駆動モータ１０に連結することとしている。このため、実施形態１及び実施形態５に係るプロジェクタ１０００Ａ，１０００Ｅにおける回転板２０の場合と同様に、回転ホイール３０の回転軸とは異なる軸上に駆動モータ１０の回転軸を配設することができるようになる。これにより、回転ホイール３０をそれ程大きくしなくても駆動モータ１０と照明光束Ｂ（図示せず。）とが干渉しないような構造をとることができるようになるため、回転ホイール３０を駆動モータ１０に直接連結することとした場合と比較して、回転ホイール３０を小さくすることができるようになる。また、このことは、回転ホイール３０を回転させるための駆動モータ１０を小さくすることができるようになることをも意味する。
このため、実施形態６に係るプロジェクタ１０００Ｆは、滑らかで良質な動画表示が得られるようにした場合であってもさらに小型化が容易な構造をもったプロジェクタとなる。
【００６９】
〔実施形態７〕
図９は、実施形態７に係るプロジェクタを説明するために示す図である。図９（ａ）は平面図であり、図９（ｂ）は側面図であり、図９（ｃ）は図９（ａ）及び図９（ｂ）のカラーホイールを説明するために示す図である。図９において、図１と同一の部材については同一の符号を付し、詳細な説明は省略する。
【００７０】
実施形態７に係るプロジェクタ１０００Ｇは、電気光学変調装置としてマイクロミラーによる１枚の反射型光変調装置４１０を用いた単板式プロジェクタでありながら、カラーホイール４０を用いることによって、フルカラー表示を可能としたプロジェクタである。
【００７１】
なお、実施形態７に係るプロジェクタ１０００Ｇにおいては、電気光学変調装置として１枚のマイクロミラーを用いた単板式の光変調装置を用いたため、それに伴って、反射型プリズム５００Ｂが追加され、フルカラー表示を得るためにカラーホイール４０が追加されている。
カラーホイール４０は、図９（ｃ）に示すように、カラーホイール中心の回りに回転方向に沿って順番に配置されたＲ、Ｇ及びＢのカラーフィルタを有しており、光源装置１１０からの照明光束が集束する位置近傍に配置されている。
【００７２】
このように、実施形態７に係るプロジェクタ１０００Ｇにおいては、フルカラー表示を可能にするためのカラーホイール４０を用いているが、このカラーホイール４０が駆動力伝達装置７１０Ｇを介して駆動モータ１０に連結されている点は、実施形態１、５及び６に係るプロジェクタ１０００Ａ，１０００Ｅ，１０００Ｆの回転板２０や回転ホイール３０の場合と同じである。このため、実施形態１、５及び６に係るプロジェクタで１０００Ａ，１０００Ｅ，１０００Ｆで得られる効果のうち該当する効果が同様に得られる。
【００７３】
以上、本発明のプロジェクタを上記の各実施形態に基づいて説明したが、本発明は上記の各実施形態に限られるものではなく、その要旨を逸脱しない範囲において種々の態様において実施することが可能である。例えば、本発明は、投写画像を観察する側から投写するフロント投写型プロジェクタに適用する場合にも、投写画像を観察する側とは反対の側から投写するリア投写型プロジェクタにも適用できる。
【図面の簡単な説明】
【００７４】
【図１】実施形態１に係るプロジェクタを説明するために示す図。
【図２】実施形態１に係るプロジェクタにおける光シャッタ装置を説明するために示す図。
【図３】比較例に係るプロジェクタにおける光シャッタ装置を説明するために示す図。
【図４】実施形態２に係るプロジェクタにおける光シャッタ装置を説明するために示す図。
【図５】実施形態３に係るプロジェクタにおける光シャッタ装置を説明するために示す図。
【図６】実施形態４に係るプロジェクタにおける光シャッタ装置を説明するために示す図。
【図７】実施形態５に係るプロジェクタを説明するために示す図。
【図８】実施形態６に係るプロジェクタを説明するために示す図。
【図９】実施形態７に係るプロジェクタを説明するために示す図。
【図１０】従来のプロジェクタを説明するために示す図。
【図１１】従来の他のプロジェクタを説明するために示す図。
【符号の説明】
【００７５】
１０…駆動モータ、１０ａｘ…駆動モータの回転軸、２０，２１…回転板、２０ａｘ…回転板の回転軸、２２，３２…光透過領域、２４，３４…光非透過領域、３０…回転ホイール、４０…カラーホイール、１００Ａ，１００Ｅ，１００Ｆ，１００Ｇ…照明装置、１１０…光源装置、１１０ａｘ…光軸、１１２…発光管、１１４…楕円面リフレクタ、１１５…赤外線ミラー、１１６…補助ミラー、１２０…インテグレータロッド、１４０，３００…リレー光学系、１５０，１５２…平行化凸レンズ、１６０…第１レンズアレイ、１７０…第２レンズアレイ、１８０…偏光変換素子、１９０…重畳レンズ、２００…色分離光学系、２５０…反射ミラー、４００，４００Ｒ，４００Ｇ，４００Ｂ…液晶表示装置、４１０…反射型光変調装置、５００…クロスダイクロイックプリズム、５００Ｂ…反射型偏光プリズム、６００…投写光学系、７００Ａ，７００Ｂ，７００Ｃ，７００Ｄ…光シャッタ装置、７００Ｆ…回転ホイール装置、７００Ｇ…カラーホイール装置、７１０Ａ，７１０Ｂ，７１０Ｄ，７１０Ｆ，７１０Ｇ…駆動力伝達装置、７１２，７２２，７２４…ピニオン、７１４，７２６…ギア部、７１６…伝達ベルト、７１８，７２０…プーリ、９００Ａ，９００Ｂ，１０００Ａ，１０００Ｂ，１０００Ｃ，１０００Ｄ，１０００Ｅ，１０００Ｆ，１０００Ｇ…プロジェクタ
【図１】
2005208230.tif 000003
【図７】
2005208230.tif 000004
【図８】
2005208230.tif 000005
【図９】
2005208230.tif 000006
【図１０】
2005208230.tif 000007
【図１１】
2005208230.tif 000008
【図２】
2005208230.tif 000009
【図３】
2005208230.tif 000010
【図４】
2005208230.tif 000011
【図５】
2005208230.tif 000012
【図６】
2005208230.tif 000013